(57)【要約】【課題】高重量のパイプなどでも安全、確実に支持することができ、しかも、パイプの調整も容易にできる施工性の良いパイプ取付具を提供する。【解決手段】パイプ１０の外周面１１から外方に向けて突設された取付部１２に遊嵌状態で外嵌する遊嵌部２１を先端に形成すると共に、壁面Ｈ等に固定される固定具４０の支持片４２に取付けされる取付板２３を前記遊嵌部２１の基端側に連設してパイプ取付具２０を構成し、前記パイプ取付具２０の遊嵌部２１を前記パイプ１０の取付部１２に外嵌し、この遊嵌部２１に螺装される締着具３０にて前記遊嵌部２１を取付部１２に締着すると共に、前記パイプ取付具２０の取付板２３を前記固定具４０の支持片４２に締結具５０にて取付けてなることを特徴とする。【選択図】図１
2008308827.tif 000002
【特許請求の範囲】
【請求項１】
パイプの外周面から外方に向けて突設された取付部に遊嵌状態で外嵌する遊嵌部を先端に形成すると共に、壁面等に固定される固定具の支持片に取付けされる取付板を前記遊嵌部の基端側に連設してパイプ取付具を構成し、
前記パイプ取付具の遊嵌部を前記パイプの取付部に外嵌し、この遊嵌部に螺装される締着具にて前記遊嵌部を取付部に締着すると共に、前記パイプ取付具の取付板を前記固定具の支持片に締結具にて取付けてなることを特徴とするパイプ取付構造。
【請求項２】
先端に遊嵌部を形成すると共に、前記遊嵌部の基端側に取付板を連設して１つのパイプ取付片を形成し、このパイプ取付片と同形の他のパイプ取付片を対向配置してパイプ取付具を構成し、
このパイプ取付具の一対の遊嵌部をパイプの外周面から外方に向けて突設された取付部に遊嵌状態で外嵌し、前記遊嵌部に螺装される締着具にて前記遊嵌部を取付部に締着すると共に、前記パイプ取付具の２枚の取付板で前記固定具の支持片を挟持し、これらを締結具にて取付けてなることを特徴とするパイプ取付構造。
【請求項３】
パイプの外周面から外方に向けて突設された取付部に遊嵌状態で外嵌する遊嵌部を先端に形成すると共に、前記遊嵌部の基端には、壁面等に固定される固定具の支持片を一体形成してパイプ取付具を構成し、
前記パイプ取付具の遊嵌部を前記パイプの取付部に外嵌し、この遊嵌部に螺装される締着具にて前記遊嵌部を取付部に締着してなることを特徴とするパイプ取付構造。
【発明の詳細な説明】
【技術分野】
【０００１】
本発明は、パイプの外周面から外方に向けて突設された取付部を、壁面等に固定された固定具に取付けるパイプ取付構造に関する。
【背景技術】
【０００２】
従来、竪樋等のパイプを壁面等に取付けるためのパイプ取付構造として、前記パイプを環状のリング体で包持すると共に、このリング体の基端を壁面等に固定金具で固定するものが一般に知られている。
【０００３】
ところが、このようなパイプ取付構造では、施工後のパイプの適所に、前記リング体が点在して外被されてしまうため、住宅のデザイン性を損なうという問題があった。
【０００４】
そこで、このような住宅のデザイン性を確保するため、近年では、施工後のパイプに前記リング体が外被されないように、パイプの背面側の外周面から外方に向けて突設された取付部を長手方向に形成すると共に、前記取付部を弾発的に挟持する挟着片を先端に備えた取付具の基端を、壁面等に固定してなるパイプ取付構造が開発されている（例えば、特許文献１参照。）。
【０００５】
このパイプ取付構造によれば、取付具の基端を壁面等に固定すると共に、この取付具の先端に設けた挟着片を、パイプの背面側に突設した取付部に弾発的に挟持することによって、施工後のパイプの正面側に取付具が見えることがなく、パイプをスッキリとした感じに仕上げて施工することができる。
【特許文献１】特開２０００−３４８１０
【発明の開示】
【発明が解決しようとする課題】
【０００６】
しかしながら、このパイプ取付構造では、施工後のパイプをスッキリとした感じに仕上げることができる点では好ましいが、パイプの背面側に突設した取付部を、取付具の挟着片で弾発的に挟持する構造であるため、パイプの支持力が弱く、例えば、高重量のパイプなどは支持できないという問題に加え、風雨等に晒されるパイプに外的な荷重を受けると、パイプががたついたり、外れたりする危険があった。
【０００７】
又、施工時においては、壁面等に予め複数の取付具を固定したうえで、該取付具の先端に設けた挟着片にパイプの取付部を弾発的に挟持していくのであるが、壁面等に固定された前記取付具の位置が少しでもズレていると、前記パイプの取付部を前記挟着片に挟着することができず、施工が困難であるという問題もあった。
【０００８】
本発明は、かかる課題を解決することを目的とするもので、高重量のパイプなどでも安全、確実に支持することができ、しかも施工性の良いパイプ取付構造を提供する。
【課題を解決するための手段】
【０００９】
請求項１に係るパイプ取付構造は、パイプの外周面から外方に向けて突設された取付部に遊嵌状態で外嵌する遊嵌部を先端に形成すると共に、壁面等に固定される固定具の支持片に取付けされる取付板を前記遊嵌部の基端側に連設してパイプ取付具を構成し、前記パイプ取付具の遊嵌部を前記パイプの取付部に外嵌し、この遊嵌部に螺装される締着具にて前記遊嵌部を取付部に締着すると共に、前記パイプ取付具の取付板を前記固定具の支持片に締結具にて取付けてなることを特徴とする。
【００１０】
請求項２に係るパイプ取付構造は、先端に遊嵌部を形成すると共に、前記遊嵌部の基端側に取付板を連設して１つのパイプ取付片を形成し、このパイプ取付片と同形の他のパイプ取付片を対向配置してパイプ取付具を構成し、このパイプ取付具の一対の遊嵌部をパイプの外周面から外方に向けて突設された取付部に遊嵌状態で外嵌し、前記遊嵌部に螺装される締着具にて前記遊嵌部を取付部に締着すると共に、前記パイプ取付具の２枚の取付板で前記固定具の支持片を挟持し、これらを締結具にて取付けてなることを特徴とする。
【００１１】
請求項３に係るパイプ取付構造は、パイプの外周面から外方に向けて突設された取付部に遊嵌状態で外嵌する遊嵌部を先端に形成すると共に、前記遊嵌部の基端には、壁面等に固定される固定具の支持片を一体形成してパイプ取付具を構成し、前記パイプ取付具の遊嵌部を前記パイプの取付部に外嵌し、この遊嵌部に螺装される締着具にて前記遊嵌部を取付部に締着してなることを特徴とする。
【発明の効果】
【００１２】
本発明によれば、次のような効果がある。
【００１３】
請求項１に係るパイプ取付構造によれば、壁面等に固定されたパイプ取付具先端の遊嵌部を前記パイプの取付部に外嵌し、締着具にて締着する構造であるため、壁面等に固定された前記パイプ取付具の位置が多少ズレていても、前記取付部を遊嵌状態で外嵌する遊嵌部の許容範囲内であれば、パイプの取付部を前記締着具にて締着でき、施工を容易に行うことができる。
【００１４】
又、パイプの取付部とパイプ取付具の遊嵌部とは、締着具にて締着しているので、施工後のパイプががたついたり、外れたりする危険を確実に防止できる。
【００１５】
更に、パイプを仮支持した後、パイプ取付具の取付板と固定具の支持片を締結具で締結する構造にしているため、パイプの位置調整を容易に行うことができるうえ、締結具を締めてパイプを確実に支持することができる。
【００１６】
そのため、高重量のパイプなどでも安全、確実に支持することができ、施工後のパイプががたついたり、外れたりする危険も確実に防止できる。
【００１７】
請求項２に係るパイプ取付構造によれば、固定具の支持片をパイプ取付具の２枚の取付板で挟持し、これらを締結具にて取付ける構造にしているので、請求項１と同様の効果が得られると共に、パイプ取付具を容易に製造でき、コストダウンを図ることができる。
【００１８】
請求項３に係るパイプ取付構造によれば、遊嵌部の基端には、壁面等に固定される固定具の支持片が一体形成されているので、請求項１と同様の効果が得られると共に、固定具を壁面等に固定するだけで、パイプ取付具を取付けることができ、部品点数を減少してコストダウンを図ることができるうえ、施工を更に容易にできる。
【発明を実施するための最良の形態】
【００１９】
以下、本発明に係るパイプ取付構造を図面とともに説明する。
【実施例１】
【００２０】
図１は、本発明に係るパイプ取付構造Ａの一実施例を示した分解斜視図であり、図２（ａ）、（ｂ）は、図１で示したパイプ取付構造Ａの施工状態を上方から見た動作図である。
【００２１】
このパイプ取付構造Ａは、パイプ１０、パイプ取付具２０、締着具３０、固定具４０、締結具５０を備えてなる。
【００２２】
パイプ１０は、外周面１１の背面側から外方に向けて突設された取付部１２を長手方向に形成している。
【００２３】
本実施例のパイプ１０は、円筒状に形成すると共に、外周面１１の背面側に断面三角状の取付部１２を一体形成したものを例示しているが、パイプ１０の形状としては、図例のものに限定されず、例えば、四角筒状に形成したもの、三角筒状に形成したものでも構わない。
【００２４】
また、取付部１２の形状についても図例のものに限定されず、例えば、断面四角形状のものや、多角形状に形成することも可能であり、この取付部１２をパイプ取付具２０の遊嵌部２１に外嵌できる形状であれば採用できる。
【００２５】
パイプ取付具２０は、パイプ１０の取付部１２を遊嵌状態で外嵌するため、取付部１２の幅よりも幅広に形成した略コ字形の遊嵌部２１を先端に形成すると共に、この遊嵌部２１の閉止面２２の中央外面から１枚の取付板２３を延設してなる。
【００２６】
遊嵌部２１の対向する一対の側片２４には、締着具３０が螺合可能なネジ孔２４ａを同位置に形成している。
【００２７】
又、取付板２３には、前、後に向けて長孔２３ａを開設し、壁面Ｈ等に固定される固定具４０の支持片４２に対して、パイプ取付具２０が前、後方向に出具合を調整できるようにしている。
【００２８】
締着具３０は、遊嵌部２１のネジ孔２４ａに螺合可能なネジ部３１を備え、このネジ部３１の先端がパイプ１０の取付部１２を押圧して締着できるものであれば良く、図例のようなボルトネジに限らず、タッピングネジ等であっても構わない。
【００２９】
又、締着具３０として、図５で示すように、ネジ部３１の先端にゴム板等で形成された滑り材３２を設けることも可能であり、この滑り材３２を介してパイプ１０の取付部１２を確実に押圧して締着することができる。
【００３０】
固定具４０は、壁面Ｈ等に固定するための固定部４１を設け、この固定部４１の前方に向けて板状の支持片４２を一体形成している。
【００３１】
本実施例の固定部４１は、壁面Ｈ等に埋設して固定されるボルト軸を例示しているが、この固定部４１は、固定具４０を壁面Ｈ等に確実に固定できるものであれば良く、例えば、ボルト、ナットや、ネジ等による固定手段、釘等による固定手段であっても構わない。
【００３２】
支持片４２には、取付板２３の長孔２３ａに重合される長孔４３を前、後に向けて開設しており、壁面Ｈ等に固定される固定具４０の支持片４２に対して、パイプ取付具２０が前、後方向に十分移動可能にして出具合を調整できるようにしている。
【００３３】
締結具５０は、ボルト５１及びナット５２で構成しているが、パイプ取付具２０の取付板２３及び固定具４０の支持片４２を固着可能なものであれば、本実施例で示したボルト５１、ナット５２以外の構成による締結具５０を採用することは可能である。
【００３４】
なお、本実施例では、１組のボルト５１とナット５２を例示しているが、その数量は特に限定されず、例えば、複数組のボルト５１とナット５２で締結すれば、パイプ取付具Ａの振れを防止できるため好ましい。
【００３５】
以上のように構成した本発明に係るパイプ取付構造Ａは、以下の要領で施工する。
【００３６】
先ず、壁面Ｈ等の適所にアンカー（不図示）等を埋設し、このアンカー（不図示）等に固定具４０の固定部４１を螺合して、複数の固定具４０を所定間隔で壁面Ｈ等に固定する。
【００３７】
次に、この固定した固定具４０の支持片４２の一側面に、パイプ取付具２０の取付板２３を添接し、両者の長孔２３ａ、４３を重合させたうえで、これら長孔２３ａ、４３の一方からボルト５１を貫通し、他方からナット５２を軽く締め付けて（仮締めして）、パイプ取付具２０を仮支持する〔（図２（ａ）参照。〕。
【００３８】
そして、この仮支持したパイプ取付具２０の遊嵌部２１に、パイプ１０の取付部１２を差し込んで内嵌すると共に、パイプ１０を長手方向の所望位置に調節したうえで、遊嵌部２１のネジ孔２４ａから締着具３０を螺装して、取付部１２と遊嵌部２１を締着し、パイプ１０を固定支持する。
【００３９】
最後に、パイプ１０の出具合を所望の位置に調節した後、仮締めしていた締結具５０のナット５２を確実に締付けて（本締めして）施工を完了するのである〔（図２（ｂ）参照。〕。
【００４０】
このように、本発明に係るパイプ取付構造Ａによれば、壁面Ｈ等に固定されたパイプ取付具２０先端の遊嵌部２１を、パイプ１０の取付部１２に外嵌し、締着具３０にて締着する構造であるため、壁面Ｈ等に固定されたパイプ取付具２０の位置が多少ズレていても、遊嵌部２１の許容範囲内であれば、パイプ１０の取付部１２を遊嵌部２１に内嵌することができる。
【００４１】
そのため、パイプ１０の取付部１２と、パイプ取付具２０の遊嵌部２１とを締着具３０にて締着でき、施工を容易に行うことができる。
【００４２】
又、パイプ１０の取付部１２とパイプ取付具２０の遊嵌部２１とは、締着具３０にて締着されているので、施工後のパイプががたついたり、外れたりする危険を確実に防止できる。
【００４３】
更に、パイプ１０を仮支持した後、締結具５０を締付ける構造にしているため、パイプ１０の位置調整を容易に行うことができるうえ、締付具５を締付けてパイプ１０を確実に支持することができる。
【００４４】
そのため、高重量のパイプ１０などでも安全、確実に支持することができ、施工後のパイプ１０ががたついたり、外れたりする危険も確実に防止できる。
【実施例２】
【００４５】
図３は、本発明に係るパイプ取付構造Ａの更に他の実施例を示した分解斜視図である。
【００４６】
ここで、図１、２と共通する部材には、同一の符号を付して重複する説明を省略し、以下では、本実施例の特徴についてのみ説明する。
【００４７】
このパイプ取付構造Ａは、先端に遊嵌部２１’を形成すると共に、該遊嵌部２１’の基端側に取付板２３’を連設して１つのパイプ取付片２’を形成し、このパイプ取付片２’と同形の他のパイプ取付片２’を対向配置してパイプ取付具２０を構成し、このパイプ取付具２０の一対の遊嵌部２１’、２１’をパイプ１０の外周面１１から外方に向けて突設された取付部１２に遊嵌状態で外嵌し、遊嵌部２１’、２１’に螺装される締着具３０にて一対の遊嵌部２１’、２１’を取付部１２に締着すると共に、パイプ取付具２０の２枚の取付板２３’、２３’で固定具４０の支持片４２を挟持し、これらを締結具５０にて取付けてなる構造にしている。
【００４８】
このようなパイプ取付構造Ａによれば、固定具４０の支持片４２をパイプ取付具２０の２枚の取付板２３’、２３’で挟持し、これらを締結具５０にて取付ける構造にしているので、実施例１と同様の効果が得られると共に、パイプ取付具２０を容易に製造でき、コストダウンを図ることができる。
【実施例３】
【００４９】
図４は、本発明に係るパイプ取付構造Ａの他の実施例を示した分解斜視図である。
【００５０】
ここで、図１〜３と共通する部材には、同一の符号を付して重複する説明を省略し、以下では、本実施例の特徴についてのみ説明する。
【００５１】
このパイプ取付構造Ａは、パイプ１０の外周面１１から外方に向けて突設された取付部１２に遊嵌状態で外嵌する遊嵌部２１を先端に形成すると共に、該遊嵌部２１の基端には、壁面Ｈ等に固定される固定具４０の支持片４２を一体形成してパイプ取付具２０を構成し、該パイプ取付具２０の遊嵌部２１をパイプ１０の取付部１２に外嵌し、この遊嵌部２１に螺装される締着具３０にて遊嵌部２１を取付部１２に締着してなる構造にしている。
【００５２】
このようなパイプ取付構造Ａによれば、遊嵌部２１の基端には、壁面Ｈ等に固定される固定具４０の支持片４２が一体形成されているので、実施例１と同様の効果が得られると共に、固定具４０を壁面Ｈ等に固定するだけで、パイプ取付具２０を取付けることができ、部品点数を減少してコストダウンを図ることができるうえ、施工を更に容易にできる。
【図面の簡単な説明】
【００５３】
【図１】本発明に係るパイプ取付構造Ａの一実施例を示した分解斜視図である。
【図２】（ａ）、（ｂ）は、図１で示したパイプ取付構造Ａの施工状態を上方から見た動作図である。
【図３】本発明に係るパイプ取付構造Ａの他の実施例を示した分解斜視図である。
【図４】本発明に係るパイプ取付構造Ａの更に他の実施例を示した分解斜視図である。
【図５】締着具３０の他の実施例を示したパイプ取付具２０の斜視図である。
【符号の説明】
【００５４】
Ａ    パイプ取付構造
Ｈ    壁面
１０  パイプ
１１  外周面
１２  取付部
２０  パイプ取付具
２１、２１’  遊嵌部
２３、２３’  取付板
３０  締着具
４０  固定具
４２  支持片
５０  締結具
【図１】
2008308827.tif 000003
【図２】
2008308827.tif 000004
【図３】
2008308827.tif 000005
【図４】
2008308827.tif 000006
【図５】
2008308827.tif 000007
【手続補正書】
【提出日】平成20年8月19日(2008.8.19)
【手続補正１】
【補正対象書類名】明細書
【補正対象項目名】００２９
【補正方法】変更
【補正の内容】
【００２９】
又、締着具３０として、図５で示すように、ネジ部３１の先端にゴム板等で形成された滑り止め材３２を設けることも可能であり、この滑り止め材３２を介してパイプ１０の取付部１２を確実に押圧して締着することができる。
【手続補正２】
【補正対象書類名】明細書
【補正対象項目名】００４３
【補正方法】変更
【補正の内容】
【００４３】
更に、パイプ１０を仮支持した後、締結具５０を締付ける構造にしているため、パイプ１０の位置調整を容易に行うことができるうえ、締結具５０を締付けてパイプ１０を確実に支持することができる。